(57)【特許請求の範囲】
【請求項１】
矩形状の仕切り板で形成される複数のディスク収納室を所定間隔で画成した二つの四角形状のディスク収納ケースを連結ヒンジを介して開閉自在に連結し、該一方の四角形状のディスク収納ケースに係る収納室と他方のディスク収納ケースに係る収納室とを互いに位相をずらし、四角形状のディスク収納ケースの上端部にロック機構を設け、ディスク収納室の外側端部に空き状態のディスク収納室の判別を容易にする識別耳部を延設するよう構成したことを特徴とするディスク収納ケース。
【請求項２】
二つの四角形状のディスク収納ケースの下端面に複数の脚部を設け、これらの脚部はディスク収納ケースを開放した際に衝合しないよう形成し、連結ヒンジとして蝶番を取着してなる請求項１記載のディスク収納ケース。
【請求項３】
四角形状のディスク収納ケースの上端部に取手部を形成し、この取手部にロック機構を付設する請求項１または請求項２記載のディスク収納ケース。
【請求項４】
識別耳部の同一方向面に識別マークを表示した請求項１乃至３記載のディスク収納ケース。
【発明の詳細な説明】
【０００１】
【発明の属する技術分野】
本発明は、パーソナルコンピュータやワードプロセッサー等に使用されるハードケース型のフロッピーディスクや音楽用ミニコンポ等に使用されるミニディスク（ＭＤ）等を収納するディスク収納ケースに関するものである。
【０００２】
【従来の技術】
従来、この種のディスク収納ケースとして、蓋付きの収納ケース内を仕切り板で仕切って複数のディスク収納室を設けたものや、また特開平１１−２０８７６０号公報に記載される通り観音開き様に開閉可能としディスクが交互に収納される収納ケースがある。そして、各ディスク収納室の入口側には収納ディスクの内容や種類等の情報を表示するための識別タブが取付けられている。
【０００３】
【発明が解決しようとする課題】
しかしながら、従来の仕切り板を設けたディスク収納ケースは、一定の空間に多数枚のディスクを収納できる利点を有するが、各ディスク収納室同士の間隔が狭いために、収納した各ディスクに貼り付けた該ディスクに記憶されている情報内容を示す識別タブが、収納ディスクにより遮蔽され、外から読み取ることができず、使用に当って目的とするディスクを取り出すのに時間を要するという問題があった。ディスク取り出し上の不便さは各ディスク収納室の間隔を空けることにより解消できるが、そうすると、一定の空間に収納できるディスクの数が減少してしまうという問題がある。また、前記観音開き様に開閉可能な収納ケースは、ディスクの内容を表示する識別タブの見づらさの解消が不十分である。
【０００４】
【課題を解決するための手段】
そこで、前記の難点を克服するため、本発明に係るディスク収納ケースは、矩形状の仕切り板で形成される複数のディスク収納室を所定間隔で画成した二つの四角形状のディスク収納ケースを連結ヒンジを介して開閉自在に連結し、該一方の四角形状のディスク収納ケースに係る収納室と他方のディスク収納ケースに係る収納室とを互いに位相をずらし、四角形状のディスク収納ケースの上端部にロック機構を設け、ディスク収納室の外側端部に空き状態のディスク収納室の判別を容易にする識別耳部を延設するよう構成したことを特徴とする。
【０００５】
また、二つの四角形状のディスク収納ケースの下端面に脚部を設け、これらの脚部はディスク収納ケースを開放した際に衝合しないよう形成し、連結ヒンジとして蝶番を取着することによりディスク収納ケースの安定性が増し、ヒンジ部の強度が増大し耐久性が改善される。
【０００６】
また、四角形状のディスク収納ケースの上端部に取手部を形成し、この取手部にロック機構を付設することにより多量のディスクを収納したディスク収納ケースの持ち運びが便利になる。
【０００７】
さらに、識別耳部の同一方向面に識別マークを表示することにより、ディスク収納室の位置がより明らかとなりディスクの収納に好適となる。
【０００８】
【発明の実施の形態】
次に、本発明に係るディスク収納ケースの実施例につき、添付図面を参照しながら以下詳細に説明する。
【０００９】
実施例
図１は、本発明の実施例に係るディスク収納ケース１０が閉の状態にある斜視図であり、二つの四角形状のディスク収納ケース１２および１４、蝶番１６、ロック機構１８及び脚部１９、２０を示す。
【００１０】
図２は、図１のディスク収納ケース１０を開放するときの状態を示し、図２（ａ）の四角形状のディスク１２および１４が閉じた状態から蝶番１６を介して図２（ｂ）の様に漸次開放され、図２（ｃ）に示すように開放された際には、ミニディスク２２がディスク収納ケースから突出して収納されるので、ディスクに記憶されている情報内容を示す識別タブ２３の判別が容易である。
【００１１】
図３は、ディスク収納ケース１０を開放した状態を示し、四角形状のディスク収納ケース１２には矩形状の仕切板２４、２４で形成される複数個のディスク収納室２６が所定の間隔で設けられている。同様に四角形状のディスク収納ケース１４には仕切板２８でディスク収納室３０が所定の間隔で設けられている。二つの四角形状のディスク収納ケース１２と１４は蝶番１６により開閉自在に連結され、ディスク収納室２６、２８の外側端部には三角形状の識別耳部３２，３４が延在し、ディスク収納室２６とディスク収納室２８は互いに位相をずらして設けられているのでディスク２２を収納室２６、２８に収納した後、ケース１２，１４を閉じると、各ディスク収納室に収納されたディスクは衝合することなく互いに隣接する位置でケース１２およびケース１４が閉じられることになる。
【００１２】
図４は、ミニディスク２２をディスク収納室２６に収納した状態を示す。ディスク収納室２６の高さをディスク２２の高さより低く設計しているのでディスクの表示内容を示す識別タブ２３を容易に識別することができる。
【００１３】
図５は、ディスク収納室２６の形状を示す。矩形状の仕切り板２４，２４の間隔はミニディスク２２の厚さにほぼ近似して設定され、また、外側端部には識別耳部３２が設けられているので、単純な構造となっている。
【００１４】
図６は、ディスク２２をディスク収納室２６に収納した状態を示し、識別耳部３２により空き状態のディスク収納室も容易に判別でき、さらに、識別耳部３２に識別マーク３６を表示しているのでディスク収納室２６の位置が容易に視認できミニディスク２２を簡便に収納できる。
【００１５】
図７は、ディスク収納ケース１０の底部を示す斜視図である。四角形状のディスク収納ケース１２，１４は蝶番１６により連結され、脚部１９と脚部２０はディスクを開放した際に衝合しないよう互いにずらして設けている。
【００１６】
図８は、図１のロック機構１８のＡ−Ａ方向の断面形状を示す。四角形状のケース１４の上端部に設けた係合部３８の下面側先端部は楔状とすると共に凹部４０を設け、他方、四角形状のディスク収納ケース１２の上端部には四角形状のディスク収納ケース１２と１４を閉じた際に前記凹部４０に対応する位置に突起部４２を設けることにより、ディスク収納ケース１２と１４を閉じると容易にロック機構が作用する。
【００１７】
図９は、より多数個のディスクが収納できるディスク収納ケース１２及び１４の上端部に取手部４４を設け、取手部にはロック機構４６が取着された実施例を示す。
【００１８】
図１０は、図９におけるロック機構４６のＢ−Ｂ方向の断面図であり取着状態を示し、四角形状のディスク収納ケース１２の上端部に設けた取手部４８には係合部５０を取着し、四角形状のディスク収納ケース１４の上端部に設けた取手部５２には係合部５４を取着し、それぞれの先端部５６および５８はディスク収納ケース１２，１４を閉じた際に先端部５６および５８が嵌合しロックするよう構成されており、ディスク収納ケースの持ち運びが簡便にできる。
【００１９】
以上、本発明の好適な実施例について説明したが、本発明は前記実施例に限定されることなく、本発明の精神を逸脱しない範囲内において種々の設計変更が可能であることは勿論である。例えば、四角状のディスク収納ケース１２の高さ、ヒンジ連結部１６の形状、取手部４４の形状、識別耳部３２や識別マーク３６の形状及びロック機構の形状は適宜選択することができる。
【００２０】
【発明の効果】
本発明に係るディスク収納ケースは、ディスクに記憶されている情報内容を示す識別タブの判別が容易であり、空き状態のディスク収納室も容易に判別でき、ディスク表面を一方向に整列でき、さらにディスク割当収納および選択取出しも確実にしかも簡便に行なうことができる。
【図面の簡単な説明】
【図１】本発明の実施例に係るディスク収納ケースが閉の状態にある斜視図である。
【図２】図１のディスク収納ケースを開放するときの状態を示す図である。
【図３】図１のディスク収納ケースを開けたときの収納室の配置を示す斜視図である。
【図４】図３のディスク収納ケースのディスク収納室にディスクを収納した状態を示す図である。
【図５】図４のディスク収納室の形状を示す。
【図６】図５のディスク収納室にディスクを収納した状態を示し、識別耳部に識別マークが表されている。
【図７】図１のディスク収納ケースの底部を示す斜視図である。
【図８】図１のディスク収納ケースのロック機構１８の断面形状を示す。
【図９】取手部を設け、取手部にはロック機構が取着された実施例の外観を示す。
【図１０】図９における取手部に設けたロック機構の取着状態を示す。
【符号の説明】
１０  ディスク収納ケース
１２  ほぼ四角形状のケース
１４  ほぼ四角形状のケース
１６  蝶番
１８  ロック機構
１９  脚部
２０  脚部
２２  ミニディスク
２３  識別タブ
２４  矩形状仕切板
２６  ディスク収納室
２８  矩形状仕切板
３０  ディスク収納室
３２  識別耳部
３４  識別耳部
３６  識別マーク
３８  係合部
４０  凹部
４２  突起部
４４  取手部
４６  ロック機構
４８  取手部
５０  係合部
５２  取手部
５４  係合部
５６  先端部
５８  先端部
【図１】
0003556906.tif 000002
【図２】
0003556906.tif 000003
【図３】
0003556906.tif 000004
【図４】
0003556906.tif 000005
【図５】
0003556906.tif 000006
【図６】
0003556906.tif 000007
【図７】
0003556906.tif 000008
【図８】
0003556906.tif 000009
【図９】
0003556906.tif 000010
【図１０】
0003556906.tif 000011